Podtech/llm-jp-corpus-v4-ja_patent huggingface dataset:
(57)【要約】【課題】トイレには、棚が無かったり、棚があっても手の届きにく場所にあったり、棚には物がいっぱい置いてあったりで、ちょっとした物を置くことができなかったり、置きにくかったりします。トイレに棚を新たに設けるとなると、壁と壁に突っ張りを入れて棚にするか、壁に穴を開けて取り付けるなど大変でした。【解決手段】既設の紙巻器を利用して、紙巻器を固定しているビスを緩め、壁と紙巻器の間に棚受け板をはさみ固定するでけで取り付けが簡単に行え、また、棚受け板を固定後、紙巻器の左右どちらにでも棚を取り付けることが出来ます。【選択図】図１
2004016767.tif 000002
【特許請求の範囲】
【請求項１】
紙巻器を固定しているビスを緩め、壁と紙巻器の間にはさみ固定することにより取り付けを簡単とすることを特徴とする棚
【請求項２】
紙巻器の左右どちらにでも取り付けができることを特徴とする請求項１の棚
【請求項３】
紙巻器が左右へのブレ止めがあることを特徴とする請求項１の棚
【請求項４】
棚の下部に折り返しや板を取り付け、棚に幅を持たせることにより安全対策が施してあることを特徴とする請求項１の棚
【発明の詳細な説明】
【０００１】
【発明の属する技術分野】
この発明は、トイレ内における棚設置に関する。
【０００２】
【従来の技術】
従来の棚および棚の設置は、図３に示すように（Ｉ）は新たに壁に穴をあけて取り付ける棚、（ＩＩ）は壁と壁の間に突っ張りをして取り付ける棚、（ＩＩＩ）は床置きの棚、などである。
【０００３】
【発明が解決しようとする課題】
しかしながら、以上の従来技術によれば、トイレという限られた狭いスペースのなかで棚が必要以上に大きくなったり、新たに壁に穴をあける事への不安があったり、または、壁がタイルやコンクリートなどで堅く、取り付けが困難でした。そこで、この発明は、取り付けることが簡単な棚を提供することを課題とする。
【０００４】
【課題を解決するための手段】
以上の課題を解決するために、請求項１の発明は、紙巻器を固定しているビスを緩め、壁と紙巻器の間に棚受け板をはさみ固定することにより取り付けを簡単とすることを特徴とする棚である。
また、請求項２の発明は、取り付け時トイレのレイアウトにより紙巻器の左右どちらにでも取り付けができることを特徴とする棚である。
また、請求項３の発明は、紙巻器に左右ブレ止めのあることを特徴とする棚である。
また、請求項４の発明は、紙巻器の取り付け位置は、子供の目の高さ位の位置が多く、板一枚では、角を丸く加工していても突く可能性があるため、棚の下部に板などを取り付けて厚みに幅を持たしてあることを特徴とする棚である。
【０００５】
【発明の実施の形態】
この発明の一実施形態を、図１に示す。
棚は、紙巻器▲１▼を固定している固定ビス▲２▼をゆるめ、壁と紙巻器▲１▼の間に棚受け板▲３▼を挿入する。その際、棚受け板▲３▼の（ア）が紙巻器▲１▼が左右に振れるのを防止する。また、紙巻器▲１▼が多少大きくても（ア）が半円状になっているため、紙巻器▲１▼が（ア）を押さえて、（ア）が変形することにより紙巻器▲１▼の横幅の寸法が多少大きくても取り付けが可能となる。
棚受け板▲３▼を壁と紙巻器▲１▼の間に挿入後、固定ビス▲２▼をしっかりと締め付ける。
後、棚用固定ボルト▲６▼を棚受け板▲３▼に通して、棚用固定ボルト▲６▼に棚板▲４▼・受け棚▲５▼を通して棚用固定ナット▲７▼で締め付ける。
また、棚板▲４▼・受け棚▲５▼を（ａ）の位置につけることも可能である。
【０００６】
【実施形態の効果】
この実施形態によれば、紙巻器を固定している固定ビスをゆるめ、壁と紙巻器の間に取り付け後、固定ビスを締めることにより、取り付けが簡単に行え、紙巻器に対し左右のどちらにでも取り付けることが可能である。また、取り付けの際、紙巻器が左右にブレなくて取り付けることができる。
【０００７】
【他の実施形態】
図１の実施形態では、左右ブレ止めの（ア）が半円状であったが、他の実施形態では、図２山形（イ）または、折り（ウ）のみであっても良い。
【０００８】
【発明の効果】
以上説明したように、この発明によれば、トイレの限られたスペースの中で、紙巻器の固定ビスを緩めて、紙巻器と壁の間に挟み込み、紙巻器固定ビスを再度締めるだけで簡単に棚の取り付けができる。
【０００９】
取り付け位置も狭いトイレのレイアウトに合わせて紙巻器の左右どちらにでも取り付けできる。
【００１０】
また、紙巻器の横に棚があるため、棚の上に物をうっかり置き忘れてしまうことがなくなる。
【図面の簡単な説明】
【図１】この発明の一実施形態を示す斜視図である。
【図２】他の実施形態を示す断面図
【図３】従来の技術を示す斜視図である。
【符号の説明】
１　紙巻器　　　　　　　　　　　　２　紙巻器固定ビス
３　棚受け板　　　　　　　　　　　４　棚板
５　受け棚　　　　　　　　　　　　６　棚用固定ボルト
７　棚用固定ナット　　　　　　　　８　安全対策加工
Ａ　棚受け挿入方向
ａ　棚取り付け位置移動方向
ア　紙巻器左右ブレ防止加工　　　　イ　他の実施形態（山形）
ウ　他の実施形態（折りのみ）
Ｉ　壁に穴を開ける必要のある棚　　ＩＩ　壁を利用して突っ張る棚
ＩＩＩ　床より立ち上げる棚
【図１】
2004016767.tif 000003
【図２】
2004016767.tif 000004
【図３】
2004016767.tif 000005
(57)【要約】【課題】樹脂溶液を基材に含浸乾燥する塗工機において、塗工時の含浸槽内位置による樹脂ワニス性能のバラツキを低減する。【解決手段】塗工機含浸槽内ロールの両端に攪拌羽根を有することを特徴とする樹脂含浸設備。さらにこの攪拌羽根が含浸槽中央から外側に向かい流れを作るスクリュー型の形状を有することを特徴とする。【選択図】　　なし。【特許請求の範囲】
【請求項１】
樹脂溶液を基材に含浸乾燥する塗工機の樹脂含浸設備において、槽内のロールの両端に攪拌羽根を有することを特徴とする樹脂含浸設備。
【請求項２】
特許請求項１の樹脂含浸設備において、槽内のロールに有する攪拌羽根が、槽の内側から外側へ流れを作る形状を有することを特徴とする樹脂含浸設備。
【請求項３】
特許請求項１の樹脂含浸設備を有する塗工機で製造することを特徴とする樹脂含浸プリプレグの製造方法。
【発明の詳細な説明】
【０００１】
【発明の属する技術分野】
本発明は銅張積層板や多層化プリント配線板の接着に使用される樹脂含浸プリプレグの製造設備に関する。
【０００２】
【従来の技術】
塗工作業時、含浸槽内の樹脂ワニスの樹脂分、粘度等の性能を一定化するため、含浸槽をオーバーフロー構造とし底部より樹脂ワニスを供給する循環式の方式が多くとられている。さらに、オーバーフローした樹脂ワニスは再度別のタンクで性能を調整し再度含浸槽に戻すことも行なわれている。
【０００３】
【発明が解決しようとする課題】
オーバーフローによる循環方式を行なっても、槽内ロールを介して基材に挟み込まれる内側等では樹脂ワニスが澱み易く、槽内位置により樹脂ワニスの性能にバラツキが生じていた。特に充填剤を含有する樹脂ワニスでは、ワニス粘度が高くこの性能バラツキも大きくなり易かった。また、この槽内での樹脂ワニス性能のバラツキが原因でプリプレグに樹脂付着むらが発生し、積層板とした時のボイド、カスレの原因ともなっていた。
【０００４】
【課題を解決するための手段】
本発明は次のものに関する。
（１）　樹脂溶液を基材に含浸乾燥する塗工機の樹脂含浸設備において、槽内のロールの両端に攪拌羽根を有することを特徴とする樹脂含浸設備。
（２）　上記（１）の樹脂含浸設備において、槽内のロールに有する攪拌羽根が、槽の内側から外側へ流れを作る形状を有することを特徴とする樹脂含浸設備。
（３）　上記（１）の樹脂含浸設備を有する塗工機で製造することを特徴とする樹脂含浸プリプレグの製造方法。
【０００５】
【作用】
低部から樹脂ワニスを供給しオーバオフローで循環する自然対流方式だけでは、基材等の障害物があった場合流れが遮断され樹脂ワニスの澱みが発生し易い。槽内のロール両端にスクリュー型の攪拌羽根を装着することにより、最も樹脂ワニスが澱み易い基材に挟まれた内側の樹脂ワニスを強制的に循環することができる。
これにより、これまで含浸槽内の位置により発生していた樹脂ワニス性能のバラツキを低減することが可能となる。
【０００６】
【発明の実施の形態】
上記問題を解決するため、本発明では含浸槽内のロールの両端に攪拌羽根を装着し、ロールの回転に伴いこの羽根も回転させ、槽内の澱みので易い部分の樹脂ワニスを攪拌するものである。さらに攪拌羽根の形状を外側へ樹脂を流すスクリュー型の形状とすることにより、強制的な循環を行い攪拌効果を高めることができる。
本発明は、紙、織布、不織布等の基材に樹脂を含浸させる塗工機に適用できる。特に、含浸させる樹脂ワニスの粘度が高かったり、充填剤を含む物である場合効果が大きい。
含浸槽内のロールに攪拌羽根を装着する以外は、通常通り含浸槽はオーバーフロー方式の樹脂ワニス循環構造とする。
プリプレグ製造に際してもこの含浸槽を使用する以外は、通常通り樹脂を含浸した後スクイズロールあるいはコンマナイフコーター等で付着樹脂量を調整し、乾燥してプリプレグを得る。
【０００７】
【実施例】
（実施例）
樹脂含浸槽内のロール両端にスクリュー型の攪拌羽根を装着し、含浸槽への樹脂ワニスは底部からの供給とし、オーバーフロー構造とした含浸槽を持つ塗工機で以下の基材と樹脂を使用して８時間塗工作業を行なった。
基材は２１１６タイプのガラスクロスとし、樹脂ワニスは水酸化アルミを主成分とする充填剤を９０重量％含有するエポキシ樹脂ワニスで、樹脂分７８％、粘度２５０Ｍｐａ．ｓに調整した。
【０００８】
（比較例）
樹脂含浸槽内のロールに攪拌羽根を装着しない以外は実施例と同様にして８時間塗工作業を行なった。
これら塗工作業において、含浸槽中央部と端部でのワニス粘度の変化を２時間毎に測定した。測定結果を表１に示す。
【０００９】
【表１】
2004016839.tif 000002
以上の結果から明らかな様に実施例は比較例に比べ時間経過による、含浸槽内位置での樹脂ワニスの粘度バラツキが小さいものである。
【００１０】
【発明の効果】
本発明は、樹脂溶液を基材に含浸乾燥する塗工機において、含浸槽内のロール両端に攪拌羽根を装着することにより、塗工時の含浸槽内位置による樹脂ワニス性能のバラツキを低減できるものである。
(57)【要約】〔課題〕トーシューズの機能は爪先立ち（ポアント）のとき、硬く部厚い靴底で大部分の体重を支え足指への負担を軽減することにある。しかるに靴底への体重移行がうまくできないため足指の障害に悩むバレリーナが多い。問題点としてはカカトがすべること、靴底の慣らしが不十分なこと、靴底の強度が不足していることなどがあげられる。〔解決手段〕以上のことから足と靴底の間のすべりを防止することがまず必要であり、考案した補装具表面には薄い生ゴム板を貼りすべりを防止した（図３の▲１▼）。また指先には床をとらえる感覚が、そして足指には床を蹴る力が要求される。そのためには足指はよく伸び且つ外反しないことが重要であり、その目的で考案した趾先部パッド（図３の▲２▼）及び趾腹部パッド（図３の▲３▼）を取りつけた。足指の痛み、踊りやすさ、使いやすさを追跡調査し、またＸ線的に足及び靴底の変化を調べた。両者共に満足できるものであった。【選択図】　図３
2004016810.tif 000002
【特許請求の範囲】
【請求項１】
趾先部パッドの形態及び材質
【請求項２】
趾腹部パッドの形態及び材質
【請求項３】
足底部分のすべり止め効果及びその材質
【発明の詳細な説明】
【０００１】
〔発明の属する技術分野〕
本発明はクラシックバレーにおけるトーシューズの機能を十分に引き出し、足の障害を予防するために考案した補装具である。
【０００２】
〔従来の技術〕
爪先立ちで踊る時、指先の負担を柔らげる目的のクッション類は従来からあるが、指自体に加わる力を減じる効果はない。そして軟らかく部厚いため足指の運動を制限し、またバレーで重要な爪先で床をとらえる感覚を損なうものである。
【０００３】
〔発明が解決しようとする課題〕
トーシューズで爪先立ちをするとき、大部分の体重はカカトから硬い靴底を伝わって逃げるため指先には強い負荷がかからない。しかし靴底と足との間にすべりが生じるとこの機能が損なわれる。又摺鉢状のシューズ前方で拇趾が外反すると蹴りの力が弱まり、足指が曲がりすぎても同様である。このような問題が解決されていないため足指に障害をくりかえす者が多く上達が遅い。
以上のことから▲１▼足指にかかる力を最小限にして足指の障害を防ぐこと　▲２▼足指がよく伸びるようにすること　▲３▼母趾の外反を防ぐこと　▲４▼足指の力を最大限に引き出して踊りやすくすること　などが解決すべき課題となる。
【０００４】
〔課題を解決するための手段〕
課題を解決するために補装具を考案した。これはトーシューズの靴底にとりつけるものである。
【０００５】
〔発明の実施の形態〕
靴底のすべりを防ぐために補装具表面は薄い生ゴム板とした（図３の▲１▼）。
【０００６】
拇趾の外反を防ぐためのゴム製パッドを補装具先端に取りつけた（図３の▲２▼）。これは少し硬めだが、趾先部を守るクッションでもある。
【０００７】
足指の過屈曲を防ぎ、屈筋腱に支点を与えることで足指の力が十分出せるよう趾腹部パッドを取りつけた（図３の▲３▼）。
【０００８】
各部品を一体化し、シューズへの脱着を容易にするため、裏面には薄い塩化ビニール板を貼りつけた（図２の▲４▼）。なお補装具は両面テープで靴底に接着するようにした。
【０００９】
〔発明の効果〕
１２名のバレリーナに本補装具を試みた。全例で足趾の痛みは消失し、踊りやすさ、使いやすさに関しても好評であった。なおシューズが長持ちするようになったとのことである。
爪先き立ちのＸ線像をとってみると、補装具をつけたものでは足と靴底が密着し、足の甲がよく出るようになっている。また足指はよく伸びるようになり、母趾の外反傾向も改善していた。靴底の屈曲部は後方に移動し、カカトから靴底への体重移行が良好に行なわれていると考えられた。
なお膝及び股関節がよく伸びるようになり全身の姿がよくなった。
【図面の簡単な説明】
【図１】トーシューズの靴底内面と同じ形に生ゴム板を採型した。大、小の２型を作製（▲１▼）。先端部には図の如き形態で硬めの弾性をもつパッドを作製し、ゴムノリで接着した（▲２▼）。趾腹部にあたる部位には図の如き形態のパッドを両面テープで接着し、本人の足に合わせて移動可能にした（▲３▼）。
【図２】趾先部パッド（▲２▼）はシューズ先端部に適合させるため前上縁をカットした。高さは全例で約１４ｍｍとした。趾腹部パッド（▲３▼）は丘状のシリコン製で大（高さ６ｍｍ）、小（高さ４ｍｍ）のものを使用した。
裏面のフィルム（▲４▼）は薄い塩化ビニール板で、補装具に硬さとしなやかさを与え使いやすくした。これは生ゴム板と両面テープで接着した。なお本装具は靴底に両面テープで接着するようにした。
【図３】本補装具の外観がわかりやすいように斜め上から見た図である。
【図１】
2004016810.tif 000003
【図２】
2004016810.tif 000004
【図３】
2004016810.tif 000005
(57)【要約】【課題】ボールを両手で掴む捕球の基本動作の練習と、指の反射神経や握力を鍛えるトレーニングのための捕球用練習グラブの提供を目的とする。【解決手段】手袋の掌側に、該手袋と略同大の、手形に象った平板状の弾性マットを接着する。また、上記捕球用練習グラブに紐付きボールを組み合わせる。【選択図】　図２
2004016809.tif 000002
【特許請求の範囲】
【請求項１】
手袋（１）の掌側に、該手袋（１）と略同大の、手形（２）に象った平板状の弾性マット（３）を接着（４）した捕球用練習グラブ。
【請求項２】
紐付きボール（５）と組み合わせたものである請求項１記載の捕球用練習グラブ。
【発明の詳細な説明】
【０００１】
【発明の属する技術分野】
本発明は、手袋の掌側に、手袋とほぼ同大の、手形に象った平板状の弾性マットを接着した捕球用練習グラブ、及びそれに紐付きボールを組み合わせた捕球用練習グラブに関するものである。
【０００２】
【従来の技術】
手袋の掌側に、捕球を助けるためのマットを接着した捕球用グラブに関する従来技術としては、実開平７−２７６５２号公報「遊戯用球技用具」がある。
マジックテープのマットを接着したもので、捕球しやすい用具の提供を課題とするものである。
【０００３】
【発明が解決しようとする課題】
ボールを両手で掴む捕球の基本動作の練習と、指の反射神経や握力を鍛えるトレーニングのための捕球用練習グラブの提供を目的とするものである。
【０００４】
【課題を解決するための手段】
上記目的を達成するため、本発明の捕球用練習グラブにおいては、手袋の掌側に、該手袋と略同大の、手形に象った平板状の弾性マットを接着する。
【０００５】
また、上記捕球用練習グラブに紐付きボールを組み合わせる。
【０００６】
【発明の実施の形態】
手袋は軍手など、大きさが伸縮するよう作られた市販の手袋を転用することができる。
本発明でいう、手形に象った形状とは、手の各指を開いた形状で、いわゆるジャンケンのパーの形状をいう。
平板状の弾性マットとは、平板状のマットで、弾性を持った素材で形成されたマットをいう。
弾性とは、弾む性質や弾む性能をいい、ボールが当たったときにボールを弾ませる性能を持ったマットを弾性マットと表現するものである。
従って、弾性を持った素材はクッション性に優れ、例えば、Ｅ、Ｖ，Ａやネオプレンなどの素材がある。
弾性マットの大きさは、手袋とほぼ同大で、手袋より若干大き目とすることが望ましい。
上記マットを、手袋に接着することにより捕球用練習グラブを得る。
なお、本発明でいう、接着とは接着材による接着のほか、熱や電気による熔着や融着などの方法により接着する方法を含むものである。
上記捕球用練習グラブには、親指と人差し指の間に捕球を助けるためのウエーブは設けない。また、同様にその他の指の相互間の間にも捕球を助けるための紐を付けない。
以上の構成から、推考されるように、ボールを捕球しにくいグラブを作ることによって、ボールを両手で掴むという捕球の基本動作の練習と、指の反射神経や握力を鍛えるトレーニングに役立てることができる。
また、上記グラブに、紐付きボールを組み合わせると、投げたボールが手元に戻るので一人で捕球のトレーニングができる。
なお、紐付きボールとは、ボールにゴムなどの伸縮材からなる紐を取り付けたボールをいう。
【０００７】
【実施例】
発明の実施例を図面に基づいて説明する。
図１は、手形に象った平板状の弾性マットの斜視図である。
平板状の弾性マット３は、手形２に象るため、いわゆるジャンケンのパーの形に形成されている。
また、素材には弾性を有するネオプレンの平板を用いて、平板状の弾性マット３として構成されている。
上記平板状の弾性マット３は、手袋１よりやや大きめに作られている。
図２は、手袋に、手形に象った平板状の弾性マットを接着した捕球用練習グラブの斜視図である。
手袋１として、伸縮性に優れた軍手が用いられている。
上記手袋１に上記平板状の弾性マット３が接着材としてペースト状のボンドを用いて接着４されている。
以上のようにして、捕球用練習グラブが作られている。
上記の捕球用練習グラブには、親指と人差し指の間に捕球を助けるためのウエーブは設けられていない。
また、同様にその他の指の相互間の間にも捕球を助けるための紐を付けられていない。
図３は、捕球用練習グラブと紐付きボールを組み合わせた実施例の斜視図である。
ボールとして硬質のスポンジボールに、紐として、伸縮材からなるゴム紐が取り付けられ、紐付きボールが作られている。
【０００８】
【発明の効果】
本発明による捕球用練習グラブは、捕球を助けるためのウエーブや紐がなく、形状も平板状であって、グラブの形状自体にボールの収容部を持たないという特徴をもつものである。また、捕球面に面ファスナーなどの、捕球を助けるための手段も講じていない。
従って、ウエーブや紐など、グラブの構成から生じる力を借りて捕球することができず、掌と指の連携で捕球する必要性が高まり、また、弾むグラブからの落球を防ぐために自然とボールを両手で掴むという捕球の基本動作の練習ができるものである。
また、弾性マットの弾みによってボールがグラブから飛び出る時間が早くなるという効果により、捕球のタイミングが短く、難度が高くなり、指の反射神経や握力を鍛えるためのトレーニングができるものである。
また、弾性マットの弾みによってボールがグラブから飛び出る力が強くなるという効果により、捕球の際に指でしっかり掴まないと落球するので、指の反射神経や握力を鍛えるトレーニングができるものである。
また、紐付きボールと組み合わせると、投げたボールが手元に戻るので一人で捕球のトレーニングができる。
【図面の簡単な説明】
【図１】手形に象った平板状の弾性マットの斜視図である。
【図２】手袋に、手形に象った平板状の弾性マットを接着した捕球用練習グラブの斜視図である。
【図３】捕球用練習グラブと紐付きボールを組み合わせた斜視図である。
【符号の説明】
１　手袋
２　手形
３　平板状の弾性マット
４　接着
５　紐付きボール
【図１】
2004016809.tif 000003
【図２】
2004016809.tif 000004
【図３】
2004016809.tif 000005
(57)【要約】［課題］夏など外気の温度や湿度が高い時、従来の方法で涼を得る場合の課題は下記の通りである。（１）エアコンや扇風機などを使用する場合の課題。温度や湿度は下がるが、人工的な環境のため体の不調を起こすこともあり、健康的ではない。又精神に安らぎを与えることもない。（２）うちわや扇子を使用する場合の課題。自然に近い風が得られるので健康に悪影響はなく、情緒もあるが、人力で扇ぐため疲れる。寝ながら扇ぎたい場合、他人に扇いでもらわなければならない。［解決の手段］動物、人形、樹、海、山など、人に“かわいい”とか“美しい”と思わせるものを模ったものにうちわを持たせ、そのうちわを自動的に動かし風を起こす。うちわの駆動は“弱、中、強”等の制御ができ、連続運転、タイマー機能も持たせる。音楽も同時に流すことが出来る。【選択図】図３
2004016808.tif 000002
【特許請求の範囲】
【請求項１】
既存のうちわを取り付け、そのうちわ（取り付けたうちわ）を、人力を使わずに自動的に動かし（うちわの先端をうちわの面に直角方向に反復運動させる）、風をおこす装置。
【請求項２】
本装置の外形は動物、人形、樹木、山などとし、使う人の心を癒す形状の装置。
【請求項３】
本装置の駆動に合わせ、音楽を流すこともできる装置。
【請求項４】
うちわの駆動は、“強、中、弱”等の制御ができ、タイマーにより駆動の中止もできる装置。
【発明の詳細な説明】
［発明の属する技術分野］
【００１】
生活用品関連　人の体感温度を下げる技術及び人の心を癒す技術
【００２】
［従来の技術］
夏など外気の温度や湿度が高い時、うちわや扇子で扇ぐ（人力）、エアコンや扇風機などを使用して涼を得ている。
【００３】
［発明が解決しようとする課題］
夏など外気の温度や湿度が高い時、従来の方法で涼を得る場合の課題は下記の通りである。
（１）エアコンや扇風機などを使用する場合。
温度や湿度は下がるが、人工的な環境のため体の不調を起こすこともあり、健康的ではない。又精神に安らぎを与えることもない。
（２）うちわや扇子を使用する場合。
自然に近い風が得られるので健康に悪影響はなく、しかも情緒もあるが人力で扇ぐため疲れる。寝ながら扇ぎたい場合、他人に扇いでもらわなければならない。
【００４】
［課題を解決するための手段］
動物、人形、樹、海、山など、人に“かわいい”とか“美しい”と思わせるものを模ったものにうちわを持たせ、そのうちわを自動的に動かし風を起こす。うちわの駆動は“弱、中、強”等の制御ができ、連続運転、タイマー機能も持たせる。音楽も同時に流すことが出来る。
【００５】
［発明実施の形態］
［実施例］
犬、猫などの動物、人形、樹、海、山などの自然の形をしたもの（符号１）にうちわを持たせ、そのうちわの先端をうちわの面に直角方向に反復運動させ、風を起こす。
駆動には回転数を制御できる電動モータ（符号５）を使用する。この電動モータの回転数を、うちわの扇ぐ速度が最適になるように歯車（符号６、７）を介して制御する。一段の歯車の組み合わせでうちわの速度が最適にならない時は、何段かの歯車を使用して回転数を制御する。歯車の回転を、クランク（符号８）クランクシャフト（符号９）等を介して直線往復運動に変換する。この往復運動により、うちわ（符号１４）を取り付けたうちわの固定部（符号２）を回転軸（符号３）のまわりに時計方向、反時計方向に交互に回転させる（この例では回転角度はプラスマイナス９０度以下）。うちわの固定部（符号２）の反復回転運動によりこのうちわの固定部（符号２）の先に取り付けたうちわの先端はうちわの面に直角方向に反復回転運動を行い、風を起こす。うちわの強弱設定ツマミ（符号１３）を設定することにより電動モータの回転数を制御し、風の強弱を制御する。又電源スイッチとタイマー（符号１９）により電源のＯＮＯＦＦ及び連続運転及びタイマーのセットを行う。
うちわの強弱設定ツマミ（符号１３）と電源スイッチとタイマー（符号１９）は動物等の形をした本体（符号１）に内蔵する場合もある。また音楽の再生装置と組み合わせ、うちわが動いている間、選択した曲を流すことも可能である。
【００６】
［発明の効果］
（１）うちわによる自然に近い風を自分で扇ぐことなく得られる。従って寝ながらでもこの風が得られる。
（２）犬や猫などの動物、人形、自然のものに扇いでもらっている感覚がえられ、音楽との組み合わせも含め、人間の心を癒す効果が期待できる。
【図面の簡単な説明】
【図１】外形全体図（正面図）
【図２】外形全体図（平面図）
【図３】内部構造図（側面図）
【図４】うちわの固定部近辺の構造図（平面図）
【図５】うちわの固定部（立面図）（断面図）
【図６】うちわの強弱設定ツマミ
【図７】電源スイッチとタイマー
【符号の説明】
１　動物等の形をした本体
２　うちわの固定部
３　回転軸
４　うちわの締め付けコック
５　電動モータ
６　歯車
７　歯車
８　クランク
９　クランクシャフト
１０　ピストン式軸受け
１１　クランクシャフトの折れ部
１２　繋ぎ部
１３　うちわの強弱設定ツマミ
１４　うちわの柄
１５　シャフト
１６　レバー
１７　軸受け
１８　うちわの柄の断面
１９　電源スイッチとタイマー
【図１】
2004016808.tif 000003
【図２】
2004016808.tif 000004
【図３】
2004016808.tif 000005
【図４】
2004016808.tif 000006
【図５】
2004016808.tif 000007
【図６】
2004016808.tif 000008
【図７】
2004016808.tif 000009
(57)【要約】【課題】素手でも釣り上げた動く魚を、逃すことなく確りと掴むことができ、危険性があった刺や毒などの魚も確りと掴み、手が汚れず魚の臭いも付かない魚掴み具の提供することを目的としている。【解決手段】柔軟性のある板を折り曲げてＵ字形状板１を形成し、その板の内面部２の表面上に針状の突起３を多数設け、Ｕ字形状板１の前部を対向して傾斜部４を設け、その両先端を欠成し垂直に咬合する歯部５を設け、Ｕ字形状板１の外面部６を任意形状で握持できるようにしている。【選択図】　　図１
2004016807.tif 000002
【特許請求の範囲】
【請求項１】
柔軟性のある板を折り曲げてＵ字形状板を形成し、その板の内面部の表面上に針状の突起を多数設け、Ｕ字形状板の前部を対向して傾斜部を設け、その両先端を欠成し垂直に咬合する歯部を設け、Ｕ字形状板１の外面部を任意形状で握持できるようにしたことを特徴とする魚掴み具。
【発明の詳細な説明】
【０００１】
【発明の属する技術分野】
本発明は、魚を確りと掴み取ることができる魚掴み具に関する。
【０００２】
【従来の技術】
従来、魚を掴み取るには、手や軍手、タオル、魚ハサミなどで魚を掴んでいた。
【０００３】
【発明が解決しようとする課題】
従来の魚を掴み取る方法として、手や軍手、タオル、魚ハサミなどで魚を掴んでいたが、動く魚を確りと掴み難く、刺や毒などある魚には危険な問題があった。
【０００４】
本発明は、素手でも釣り上げた動く魚を、逃すことなく確りと掴むことができ、危険性があった刺や毒などの魚も確りと掴み、手が汚れず魚の臭いも付かない魚掴み具の提供することを目的としている。
【０００５】
【課題を解決するための手段】
上記目的を達成するために、柔軟性のある板を折り曲げてＵ字形状板を形成し、その板の内面部の表面上に針状の突起を多数設け、Ｕ字形状板の前部を対向して傾斜部を設け、その両先端を欠成し垂直に咬合する歯部を設け、Ｕ字形状板の外面部を任意形状で握持できるようにしている。
【０００６】
【発明の実施の形態】
本発明を以下図面に基づいて説明する。
柔軟性のある板を折り曲げてＵ字形状板１を形成し、その板の内面部２の表面上に針状の突起３を多数設け、Ｕ字形状板１の前部を対向して傾斜部４を設け、その両先端を欠成し垂直に咬合する歯部５を設け、Ｕ字形状板１の外面部６を任意形状で握持できるようにしている。
【０００７】
上記のような本発明の構成により、魚を掴む場合は、Ｕ字形状板１の外面部６を握り、魚をＵ字形状板１の内側に挿入するよう持っていき、魚が入ると同時に強く握持すれば、Ｕ字形状板１の内面部２の針状の突起３が魚を強く押さえ、魚が静に掴めるようになるとともに、Ｕ字形状板１の両先端に設けた歯部５が垂直に咬合することで、握持した状態で板が撓り左右に逃げないようになる。
【０００８】
【発明の効果】
本発明により、魚を釣り上げた時、ハネ動く魚をＵ字形状板１の内側に挿入して確りと掴み込み、危険性があった刺や毒などの魚も手に触れずに掴むことが出来るので、手が汚れや魚の臭いも付かなく、さらに、両先端に設けた歯部５が垂直に咬合することで、いつでも魚を掴めるものである。
【図面の簡単な説明】
【図１】本発明の実施例を示す斜視図である。
【符号の説明】
１　Ｕ字形状板
２　内面部
３　針状の突起
４　傾斜部
５　歯部
６　外面部
【図１】
2004016807.tif 000003
(57)【要約】【課題】球形状のパズル玩具を提供する。【解決の手段】支持球体１の表面を６分割２とし、１分割面に４個、合計、２４カ所の移動片位置３をもうけ、６色に色分けした移動片４を５色を各４個、１色を３個、１色３個の色を移動片位置３と同色とし１色４個と仮定し、合計２３個の移動片４を支持球体１の移動片位置３にばらばらに配置し、１カ所空いた移動片位置３に隣接する４方向から、１個の移動片４を順次移動させ、６色に色分けした２３個の移動片４を５色各４個を１ブロックとして５ブロック、１色３個と移動片位置３が同色となり４個と仮定し、１ブロックとして、合計６ブロックに合わせて遊ぶパズル玩具。【選択図】　図１
2004016801.tif 000002
【特許請求の範囲】
【請求項１】
支持球体（１）の外周面を６分割（２）とし、１分割面に４個の移動片位置（３）を２４か所もうけ、６分割（２）部に５色を各４個、１色を３個、合計２３個の移動片（４）を配置し、移動片位置（３）を１か所空き位置（５）とし、空き位置（５）に隣接する移動片（４）を１個移動し、順次変化する空き位置（５）に移動片（４）の移動を繰り返すことで５色各４個を１組として５組、１色３個１組を移動片位置（３）と同色とすることで合計６色各４個と仮定し、ばらぱらに色分けした合計２３個の移動片（４）を６分割（２）部に６色６組各４個に合わせて遊ぶことを目的とするパズル玩具。
【請求項２】
支持球体（１）の素材を薄鉄板（６）とし、移動片（４）に凹状磁石（７）を固定し、支持球体（１）の表面の移動片位置（３）に吸着させる請求項１記載のパズル玩具。
【請求項３】
支持球体（１）の表面の移動片位置（３）に２４か所の凸部（８）をもうけ、凸部（８）にはめ込む凹状（９）の移動片（４）を配置した請求項１記載のパズル玩具。
【請求項４】
支持球体（１）の表面の移動片位置（３）の２４か所に穴（１０）をもうけ、穴（１０）に差し入れる突起部（１１）をもうけた移動片（４）とした請求項１記載のパズル玩具。
【請求項５】
支持球体（１）の表面の移動片位置（３）の２４か所にマジックテープのメス（１２）を貼り付け、マジックテープのオス（１３）を移動片（４）の裏に貼り付けた請求項１記載のパズル玩具。
【請求項６】
移動片（４）を凹状磁石（７）とし移動片（４）に直接色づけ（１４）した請求項２記載の移動片（４）。
【請求項７】
移動片（４）の表面に絵（１５）を表示した請求項２、請求項３、請求項４、請求項５記載の移動片。
【請求項８】
移動片（４）の表面に字（１６）を表示した請求項２、請求項求項３、請求項４、請求項５記載の移動片（４）。
【請求項９】
移動片（４）の表面に取手部（１７）をもうけた、請求項２、請求項３、請求項４、請求項５記載の移動片（４）。
【請求項１０】
移動片（４）の表面に動物形状の取手（１８）をもうけた、請求項２、請求項３、請求項４、請求項５記載の移動片（４）。
【発明の詳細な説明】
【０００１】
【発明の属する技術分野】
本発明は球形状のパズル玩具に関する。
【０００２】
【従来の技術】
従来のパズル玩具は平面状もしくは立方体状のものであった。
【０００３】
【発明が解決しようとしている課題】
本発明は新しい発想により、球形状のパズル玩具を提供することを目的とする。
【０００４】
【課題を解決するための手段】
上記の目的を達成するため、球形状の支持球体に２４か所の移動片位置を表示し、移動片位置に移動片を５色を各４個、１色を３個、合計２３個を保持配置させたものである。
【０００５】
このとき、支持球体の移動片位置には移動片の１色３個の色と同色を表示することで１色４個と仮定し、１か所空きをもうけ、隣接する４方向から１個順次移動保持し、ばらばらに色分けされた２３個の移動片６色、各４個を６ブロックに合わせて遊ぶことを目的とする。
【０００６】
【発明の実施形態】
発明の実施形態を実施例に基づき図面を参照して説明する。
図１は、支持球体１の表面を均等に６分割２とし、６分割２に各４か所の移動片位置３を２４か所もうけ、移動片４の２３個を６色に色分けし５色を各４個、１色を３個とし、１色３個と支持球体１の移動片位置３の２４か所を同色とすることで、移動片位置３の１か所を常に空き位置５として、ばらばらに色分けした２３個の移動片４を移動片位置３に保持させ、空き位置５に隣接する４方向から移動片４を１個移動し、順次変化する空き位置５に移動を繰り返し、移動片４を支持球体１の６分割２の６面に、５色各４個を５組、１色３個は移動片位置３と同色であることから４個と仮定し、６色各４個を６ブロックに合わせて遊ぶことを目的とする。
【０００７】
図２は、支持球体１の材料を薄鉄板６とし、移動片４に凹状磁石７を固着させ、支持球体１の表面、２４か所の移動片位置３に吸着させることを目的とする。
【０００８】
図３は、支持球体１の表面の移動片位置３を２４か所凸部８とし、移動片４には凸部８に脱着自在の凹状部９をもうけたものである。
【０００９】
図４は、支持球体１の表面の移動片位置３の２４か所に穴１０をもうけ、移動片４には穴１０に脱着自在の突起部１１をもうけたものである。
【００１０】
図５は、支持球体１の表面の移動片位置３にマジックテープのメス１２を貼り付け、移動片４には脱着自在のマジックテープのオス１３を貼り付けたものである。
【００１１】
図６は、移動片４を凹状磁石７とし、直接色付け１４としたものである。
【００１２】
図７は移動片４の表面を絵１５を表示したものである。
【００１３】
図８は移動片４の表面を字１６を表示したものである。
【００１４】
図９は移動片４の表面に取手部１７をもうけたものである。
【００１５】
図１０は移動片４の表面を動物形状の取手１８としたものである。
【００１６】
【図面の簡単な説明】
【図１】パズル玩具の外観図である。
【図２】パズル玩具の支持球体に移動片を吸着した断面図である。
【図３】パズル玩具の支持球体の凸部に移動片を差し入れた断面図である。
【図４】パズル玩具の支持球体の穴に移動片を差し入れた断面図である。
【図５】パズル玩具の支持球体の移動片位置に移動片を保持した断面図である。
【図６】移動片の凹状磁石の外観図である。
【図７】移動片の表面に絵を表示した外観図である。
【図８】移動片の表面に字を表示した外観図である。
【図９】移動片の表面に取手部をつけた外観図である。
【図１０】移動片の表面を動物形状の取手とした外観図である。
【符号の説明】
１　支持球体
２　６分割
３　移動片位置
４　移動片
５　空き位置
６　薄鉄板
７　凹状磁石
８　凸部
９　凹状
１０　穴
１１　突起部
１２　マジックテープのメス
１３　マジツクテープのオス
１４　直接色づけ
１５　絵
１６　字
１７　取手部
１８　動物形状の取手
【図１】
2004016801.tif 000003
【図２】
2004016801.tif 000004
【図３】
2004016801.tif 000005
【図４】
2004016801.tif 000006
【図５】
2004016801.tif 000007
【図６】
2004016801.tif 000008
【図７】
2004016801.tif 000009
【図８】
2004016801.tif 000010
【図９】
2004016801.tif 000011
【図１０】
2004016801.tif 000012
(57)【要約】【課題】血圧の呼吸性変動を短時間かつ高精度に測定すること。【解決手段】患者の気道内圧，人工呼吸器の気流計あるいは患者の呼気中の２酸化炭素濃度の信号のいずれか一つ以上を指標として患者の呼吸サイクルのタイミングを測定し、同時に各心拍での血圧の最大値とその呼吸サイクル内での時間を計測する。この測定を２呼吸サイクル以上繰りかえして計算処理することにより、一呼吸サイクル内での血圧変動を高精度かつ短時間に自動的に計測表示する。【選択図】図１
2004016802.tif 000002
【特許請求の範囲】
【請求項１】
患者の気道内圧、気流速、呼気吸気中２酸化炭素濃度の少なくとも一つの信号を指標として血圧のデータを処理して、呼吸性の血圧変動を計測する装置。
【請求項２】
呼気終末あるいは人為的な無呼吸相での血圧を基準として、血圧の呼吸サイクル内での変化を表示することを特徴とする請求項１に記載の装置。
【発明の詳細な説明】
【０００１】
【発明の属する技術分野】
本発明は呼吸循環機能を計測する装置に関するものである。
【０００２】
【従来の技術】
正確な血圧測定は血管内に留置したカテーテルを介して行い、電気的に計測された波形とその値をリアルタイムに表示あるいは記録するかまたは、そのデータを一時記憶させて、それをまとめて測定された時間内の変化として表示している。出血や脱水などにより呼吸性の血圧変動が大きくなることが良く知られているが、これを短時間かつ高精度に計測し表示する方法はなかった。
【０００３】
【本発明が解決しようとする課題】
従来の血圧のリアルタイムの波形表示では、呼吸性の変動を表示画面上で確認することはできるが、呼吸性の血圧変動を高精度に計測することはできない。用紙に血圧変化を記録することにより、呼吸性の血圧変動を計測することは可能であるが、この方法では時間と労力を要するという欠点があった。
【０００４】
【課題を解決するための手段】
請求項１に係る装置は患者の気道内圧、気流速、呼気中２酸化炭素濃度の少なくとも一つを指標として、計測された１心拍毎の血圧の最高値（収縮期圧）と１呼吸サイクル内での心拍のタイミングを計測し、この測定を繰り返し、マイクロプロセッサーを用いて計算処理することにより、呼吸性の血圧変動を計測する。
【０００５】
請求項２に係る装置は、請求項１に係る装置において計算処理された値から、血圧の変化を呼気の開始と呼気の終了あるいは吸気の開始と終了と対比して、１呼吸サイクル内での血圧変動として簡便かつ高精度に計測し、表示することができる。
【０００６】
【発明実施の形態】
本発明の実施の形態を説明する。
【０００７】
人工呼吸を受けている患者の気道内圧，気流速あるいは患者呼気中の２酸化炭素濃度の少なくとも一つ以上の信号を本発明である呼吸性血圧変動計測装置計算処理部分に入力する。同時に血圧信号を連続的に入力し、本装置計算処理部分において、１心拍毎に血圧の収縮期圧と時間を正確に計算する。
【０００８】
そして本装置計算処理部分においてマイクロプロセッサーにより、１心拍毎の血圧の収縮期圧とその時間を吸気の開始を基準とした呼吸サイクル内での変化として時系列をそろえるように計算処理をさせる。同様にして、１呼吸サイクル内にある各心拍に相当した収縮期圧と１呼吸サイクル内でのタイミングの計測を２回以上の呼吸サイクルについて行い、そのデータをマイクロプロセッサーに集積して数値計算を行うことにより、呼吸サイクル内での収縮期圧の変化を自動的に計測し表示する。これが呼吸性血圧変動である。
【０００９】
本発明においては気道内圧，気流速、呼気と吸気中の２酸化炭素濃度と血圧を従来からある計測装置によって測定して、その信号のみを本発明の呼吸性血圧変動計測装置計算処理部分に入力して、呼吸性血圧変動を計測し表示することも可能である。
【００１０】
図１は本発明にかかる呼吸性血圧変動計測装置の構成を示す図である。図１において気道内圧計，気流計あるいは患者の呼気中の２酸化炭素濃度計のいずれか１つ以上の信号より、本発明の装置は患者の吸気の開始と終了、呼気の開始と終了を認知する。具体的には、気道内圧計の信号ではその圧の上昇で、気流速計では患者への気体の流入信号で、２酸化炭素ガス濃度計では炭酸ガス濃度の急激な減少で、吸気の開始時点を認識する。呼気の開始も同様にそれらの変化から認識することができる。この原理を用いて、これらの信号から呼吸サイクルを同定することができる。
【００１１】
【発明の効果】
本発明によれば、簡便かつ短時間にまた患者に特別な負担を与えることなく、呼吸性の血圧変動を高精度に自動計測することができる。したがって、本発明の装置は、救急医療や麻酔、集中治療等の分野で循環動態の計測や監視装置として日常的に用いることができて有用である
【図面の簡単な説明】
【図１】本発明の実施の形態の全体構成を示す図。各構成部分の下の曲線はその構成部分により出力される信号を模式的に示す。
【図１】
2004016802.tif 000003
(57)【要約】【課題】ロボットのテーチング工数を低減し、ワークが位置ズレした場合でも所定位置にシーラを塗布するようにしたシーリング装置を提供する。【解決手段】シーラガン本体１にワーク３の端縁に当接させてシーラノズル２をシーラ塗布位置に位置決めするための位置決めガイド４と、ワーク３の面に当接させてシーラノズル２をシーラ塗布面に対し適正な高さに位置決めするための進退調整可能としたアジャストボルト５とを備え、シーラガン本体１をロボットアーム７に位置決めガイド４とアジャストボルト５とをワーク３に押し付け力を付与するバネ１０を介してフローチング可能に取り付けた。【選択図】　　　　図１
2004016883.tif 000002
【特許請求の範囲】
【請求項１】
シーラガンにワークの端縁に当接させてシーラノズルをシーラ塗布位置に位置決めするための位置決めガイドと、ワーク面に当接させてシーラノズルをシーラ塗布面に対し適正な高さに位置決めするための進退調整可能としたアジャストボルトとを備えたことを特徴とするシーリング装置。
【請求項２】
シーラガンをロボットアームに位置決めガイドとアジャストボルトとをワークに押し付け力を付与するバネを介してフローチング可能に取り付けた請求項１に記載のシーリング装置。
【発明の詳細な説明】
【０００１】
【発明の属する技術分野】
本発明は、シーラノズルを介してワークにシール材を塗布するシーリング装置に関するものである。
【０００２】
【従来の技術】
シーラノズルを介してワークにシール材を塗布する従来一般的なシーリング装置は図２で示すように、ロボットアーム７にシーラガン１を取り付け、ロボットアーム７の作動によってシーラノズル２を介してワークのシーラ塗布部をシーリングしている。
【０００３】
【発明が解決しようとする課題】
シーラの塗布においては、図３で示すように、例えばワーク３のヘミングフランジにシーラ１１を一定のビード幅Ｂで塗布するためには、図４で示すように、シーラノズル２をシーラ塗布位置０−０とワーク３の面に対する高さＨと速度が一定になるようロボットにテーチングさせる必要があり、このためテーチポイント数が多く、ロボットの動作再現精度も必要で品質を満足するまでには何度もテーチ修正を行っている。また、テーチング後、ワークが位置ズレした場合に品質上問題が発生し、さらには、ワークとシーラノズルとが互いに接触し損傷することがある。
【０００４】
本発明の目的は、ロボットのテーチング工数を低減し、ワークが位置ズレした場合でも所定位置にシーラを塗布するようにしたシーリング装置を提供することである。
【０００５】
【課題を解決するための手段】
上記の目的を達成するための本発明は、請求項１に記載した通り、シーラガンにワークの端縁に当接させてシーラノズルをシーラ塗布位置に位置決めするための位置決めガイドと、ワーク面に当接させてシーラノズルをシーラ塗布面に対し適正な高さに位置決めするための進退調整可能としたアジャストボルトとを備えたことを特徴とするものである。
【０００６】
また、請求項２に記載の通り、シーラガンをロボットアームに位置決めガイドとアジャストボルトとをワークに押し付け力を付与するバネを介してフローチング可能に取り付けたものである。
【０００７】
【発明の実施の形態】
以下本発明の実施の形態を図面に基づいて説明する。図１において、１はシーラガン本体であり、ロボットアーム７に取り付けられている。このシーラガン本体１の先端にシーラノズル２を備えており、このシーラノズル２によってワーク３のシール部をシール材で塗布する。
【０００８】
本発明は上記シーラガン本体１にワーク３の端縁に当接させてシーラノズル２をシーラ塗布位置に位置決めするための位置決めガイド４と、ワーク３の面に当接させてシーラノズル２をシーラ塗布面に対し適正な高さに位置決めするための進退調整可能としたアジャストボルト５とを設けたものである。このアジャストボルト５は調整位置でロックするためのロックナット６を備えている。
【０００９】
上記の構造よりなるシーラガン本体１はロボットアーム７に前記位置決めガイド４とアジャストボルト５とをワーク３に押し付け力を付与するバネ１０を介して取り付ける。その取り付け構造は、ロボットアーム７の先端に固定した支持部材８にシーラガン本体１を落下防止ボルト９によって上下、左右方向にフローチング可能に懸垂し、前記支持部材８の下面とシーラガン本体１の上面との間にバネ１０を介在した構造である。
【００１０】
本発明は上記の通りの構造であるから、位置決めガイド４をワーク３の端縁に当接することによりこれにより、シーラノズル２は図３で示すシーラ１１の塗布位置に位置決めされる。また、シーラ１１を一定のビード幅Ｂで塗布するためにワーク３の面に当接させるアジャストボルト５を進退調整してシーラノズル２を適正な高さＨに位置決めする。
【００１１】
そして、バネ１０によってシーラガン本体１を介して位置決めガイド４とアジャストボルト５をワーク３に押し付けるようにしてロボットにテーチングするのである。
【００１２】
この位置決めガイド４とアジャストボルト５をワーク３に押し付けることにより、シーラガン本体１の高さと横方向の位置がラフなテーチングで対応が可能である。
【００１３】
従って、本発明では、従来のように何度もロボットのテーチ修正を行うことがなくなり、ロボットのテーチング工数を低減することができ、また、シーラガン本体１はバネ１０によって位置決めガイド４とアジャストボルト５とをワークに押し付けた状態でフローチング可能にロボットアーム７に取り付けられているため通常塗布でのワーク３のズレにも対応することができる。
【００１４】
【発明の効果】
以上のように本発明によると、請求項１の構成ではロボットのテーチング工数を低減し作業工数が半減以下となり、ロボットの動作再現精度の微妙なバラツキを解消することができる。また、請求項２の構成ではワークが位置ズレした場合でも、同一位置に塗布できるため、シーラの見栄えや品質の向上が図られる利点を有している。さらに、構造が簡単であり、既存のシーラガン本体に付加することで本発明装置が得られるため、低コストで本発明装置が実現し、かつ提供することができる。
【図面の簡単な説明】
【図１】本発明装置の要部側面図
【図２】従来装置の側面図
【図３】シーラ塗布状態の１例を示す斜視図
【図４】シーラノズルの高さの１例を示す側面図
【符号の説明】
１　　　シーラガン本体
２　　　シーラノズル
３　　　ワーク
４　　　位置決めガイド
５　　　アジャストボルト
６　　　ロックナット
７　　　ロボットアーム
８　　　支持部材
９　　　落下防止ボルト
１０　　　バネ
１１　　　シーラ
【図１】
2004016883.tif 000003
【図２】
2004016883.tif 000004
【図３】
2004016883.tif 000005
【図４】
2004016883.tif 000006
(57)【要約】【解決手段】光エネルギ９を試料６の全体又は一部分に照射することにより、試料を均一に処理することができる。【効果】試料台に機能を付与することなく、試料を均一に処理することが可能となる。【選択図】　図１
2004016884.tif 000002
【特許請求の範囲】
【請求項１】
減圧された処理室内に設けられた試料台の上に試料を載置し、試料台を温度調節し、試料台と試料との間で熱交換をし、試料の温度を制御して試料を処理する処理装置において、前記試料の温度調節手段として、前記試料台との熱交換以外に、光エネルギ源を試料の全体又は一部分に照射して温度調節する手段を具備する構成としたことを特徴とする試料処理装置。
【請求項２】
請求項１記載の光エネルギ源として、水銀ランプ又はハロゲンランプ又は赤外線ランプ又は紫外線ランプ又はレーザ光を使用する構成としたことを特徴とする試料処理装置。
【請求項３】
請求項１記載の光エネルギ照射手段として、少なくとも一つ以上の平面もしくは曲面ミラーを有し、照射する部分を変更又は特定又は、エネルギ密度に分布を付与できる構成としたことを特徴とする試料処理装置。
【請求項４】
請求項１又は請求項２記載の光エネルギ照射手段として、少なくとも一つ以上のレンズを有し、照射する部分を変更又は特定又は、エネルギ密度に分布を付与できる構成としたことを特徴とする試料処理装置。
【請求項５】
請求項１又は請求項２記載の光エネルギ照射手段として、少なくとも一つ以上の光ファイバを有し、照射する部分を変更又は特定できる構成としたことを特徴とする試料処理装置。
【発明の詳細な説明】
【０００１】
【発明の属する技術分野】
本発明は試料処理装置に係り、特に試料を温度調節して処理を行う試料処理装置に関するものである。
【０００２】
【従来の技術】
従来は、例えば特開平９−１７７７０号公報記載のように、試料台で温度分布を付与したり、試料台と試料台との間の熱交換率に分布を付けたりして、試料の温度制御をしていた。
【０００３】
【発明が解決しようとする課題】
上記従来技術では、試料を温度調節し均一に処理を行う為には、試料台への機能付加が必要であり、複雑な機構になっていた。
【０００４】
本発明の目的は、簡潔な構造で均一に試料の処理を行う試料処理装置を提供することにある。
【０００５】
【課題を解決するための手段】
上記目的は、光エネルギを試料の全体又は一部分に照射することにより、達成される。
【０００６】
【発明の実施の形態】
図１に本発明の一実施形態を示す。真空保持された処理室３に処理用ガス４を導入し、排気系７を用いて所定の値にガス圧力を調整しソレノイドコイル２による磁場と高周波源１から発せられた高周波を導波路１０，高周波透過窓１１を通過させ処理室３内に投入し、処理室３の中でプラズマを生成する。温度調節された試料台５の上には、試料台５と静電気吸着された試料６が載置されている。
【０００７】
試料台５と試料６の隙間には伝熱ガスであるヘリウムが導入されており、試料６は温度調節されている。試料台５にはバイアス用高周波電源８から高周波を印加し、試料をエッチング処理する。
【０００８】
試料台直上に配置した光源９より発せられた光エネルギは、試料に到達し、試料を温度調節する。
【０００９】
次に、図２に本発明の他の一実施形態を示す。特徴は光源９から発せられた光エネルギをミラー１２で反射させレンズ１３で収束又は発散させることができる。ミラー１２とレンズ１３の位置又は角度を調節することにより、試料６の任意の場所又は任意の範囲を温度調節することが可能となる。
【００１０】
また、図３に本発明の他の一実施形態を示す。特徴は、光エネルギの伝送に光ファイバ１４を使用していることである。また、試料６の裏面から光エネルギを照射することが可能となっており、特に高周波透過窓１１が光エネルギを透過しない材料である場合に適用した手段である。
【００１１】
さらに、図４に本発明の他の一実施形態を示す。特徴は、光透過窓１５を通して光エネルギを試料下から照射することができる。また、その照射場所はレンズ１３又はミラー１２の位置又は角度を調節することにより、試料６の任意の場所又は任意の範囲を温度調節することが可能となる。
【００１２】
【発明の効果】
本発明によれば、均一に試料を処理することができる。
【図面の簡単な説明】
【図１】本発明の一実施例の縦断面を示す説明図である。
【図２】ミラーとレンズを併用した一実施例の縦断面を示す説明図である。
【図３】光ファイバを併用した実施例の縦断面を示す説明図である。
【図４】試料台下面に光透過窓を配した実施例の縦断面を示す説明図である。
【符号の説明】
１…高周波源、２…ソレノイドコイル、３…処理室、４…処理用ガス、５…試料台、６…試料、７…排気系、８…バイアス用高周波電源、９…光源、１０…導波路、１１…高周波透過窓、１２…ミラー、１３…レンズ、１４…光ファイバ、１５…光透過窓。
【図１】
2004016884.tif 000003
【図２】
2004016884.tif 000004
【図３】
2004016884.tif 000005
【図４】
2004016884.tif 000006